(57)【特許請求の範囲】
【請求項１】
下記（ａ）成分を１０質量％以上２５質量％以下、（ｂ）成分を無水物換算で０．３質量％以上６質量％以下、（ｃ）成分を１０質量％以上８０質量％以下、（ｄ）成分及び（ｅ）成分を含有し、（ｅ）成分と（ｂ）成分の質量比（ｅ）成分／（ｂ）成分が、０以上０．５以下である衣料用粉末洗浄剤組成物であり、衣料用粉末洗浄剤組成物１ｇを水２５０ｇに分散させた分散液の２０℃におけるｐＨが５．５以上９．５以下である、衣料用粉末洗浄剤組成物。
（ａ）成分：アニオン界面活性剤
（ｂ）成分：水溶性アルミニウム塩
（ｃ）成分：アルカリ金属硫酸塩、及びアルカリ金属塩化物から選ばれる１種以上の化合物
（ｄ）成分：下記（ｄ１）成分、（ｄ２）成分、及び（ｄ３）成分から選ばれる１種以上のアルカリ剤
（ｄ１）成分：アルカリ金属炭酸塩、アルカリ金属炭酸水素塩、及びアルカリ金属ケイ酸塩から選ばれる１種以上の水溶性アルカリ塩
（ｄ２）成分：構成元素としてアルカリ金属を含むアルミノケイ酸塩、構成元素としてアルカリ金属を含むスメクタイト系粘土から選ばれる１種以上の化合物
（ｄ３）成分：トリポリリン酸塩
（ｅ）成分：下記の（ｅ１）成分及び（ｅ２）成分から選ばれる１種以上の化合物（但し、（ａ）成分は除く）
（ｅ１）成分：分子内のカルボキシル基又はその塩の数が１個以上１０個以下のカルボン酸及び／又はその塩
（ｅ２）成分：分子内のカルボキシル基又はその塩の数が１個以上１０個以下のヒドロキシカルボン酸及び／又はその塩
【請求項２】
（ａ）成分が下記（ａ１）成分、（ａ２）成分、（ａ３）成分及び（ａ４）成分から選ばれる１種以上のアニオン界面活性剤である、請求項１に記載の衣料用粉末洗浄剤組成物。
（ａ１）成分：アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤
（ａ２）成分：アルキル基の炭素数が１０以上１８以下、アルキレンオキシド平均付加モル数が１以上３以下のポリオキシアルキレンアルキルエーテル硫酸エステル塩であって、ポリオキシアルキレンのオキシアルキレン基が炭素数２以上３以下のオキシアルキレン基であるポリオキシアルキレンアルキルエーテル硫酸エステル、及びアルケニル基の炭素数が１０以上１８以下、アルキレンオキシド平均付加モル数が１以上３以下のポリオキシアルキレンアルケニルエーテル硫酸エステル塩であって、ポリオキシアルキレンのオキシアルキレン基が炭素数２以上３以下のオキシアルキレン基であるポリオキシアルキレンアルケニルエーテル硫酸エステルから選ばれる１種以上のアニオン界面活性剤
（ａ３）成分：アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤
（ａ４）成分：炭素数１２以上２４以下の脂肪酸又はその塩（但し、（ｅ）成分を除く）
【請求項３】
下記（ａ）成分を１０質量％以上４０質量％以下、（ｂ）成分を無水物換算で０．３質量％以上６質量％以下、（ｃ）成分を１０質量％以上８０質量％以下、（ｄ）成分及び（ｅ）成分を含有し、（ｅ）成分と（ｂ）成分の質量比（ｅ）成分／（ｂ）成分が、０以上０．５以下である衣料用粉末洗浄剤組成物であり、衣料用粉末洗浄剤組成物１ｇを水２５０ｇに分散させた分散液の２０℃におけるｐＨが５．５以上９．５以下である、衣料用粉末洗浄剤組成物。
（ａ）成分：下記（ａ１）成分及び（ａ２）成分から選ばれる１種以上のアニオン界面活性剤と、（ａ３）成分から選ばれる１種以上のアニオン界面活性剤とを含有するアニオン界面活性剤
（ａ１）成分：アルキル又はアルケニル硫酸エステル塩
（ａ２）成分：アルキレンオキシ基を有するポリオキシアルキレンアルキル又はアルケニルエーテル硫酸エステル塩
（ａ３）成分：スルホン酸塩基を有するアニオン界面活性剤
（ｂ）成分：水溶性アルミニウム塩
（ｃ）成分：アルカリ金属硫酸塩、及びアルカリ金属塩化物から選ばれる１種以上の化合物
（ｄ）成分：下記（ｄ１）成分、（ｄ２）成分、及び（ｄ３）成分から選ばれる１種以上のアルカリ剤
（ｄ１）成分：アルカリ金属炭酸塩、アルカリ金属炭酸水素塩、及びアルカリ金属ケイ酸塩から選ばれる１種以上の水溶性アルカリ塩
（ｄ２）成分：構成元素としてアルカリ金属を含むアルミノケイ酸塩、構成元素としてアルカリ金属を含むスメクタイト系粘土から選ばれる１種以上の化合物
（ｄ３）成分：トリポリリン酸塩
（ｅ）成分：下記の（ｅ１）成分及び（ｅ２）成分から選ばれる１種以上の化合物（但し、（ａ）成分は除く）
（ｅ１）成分：分子内のカルボキシル基又はその塩の数が１個以上１０個以下のカルボン酸及び／又はその塩
（ｅ２）成分：分子内のカルボキシル基又はその塩の数が１個以上１０個以下のヒドロキシカルボン酸及び／又はその塩
【請求項４】
（ａ１）成分及び（ａ２）成分の含有量の合計と、（ａ３）成分の含有量との質量比〔（ａ１）＋（ａ２）〕／（ａ３）が、０．０５以上１以下である、請求項３に記載の衣料用粉末洗浄剤組成物。
【請求項５】
前記（ａ１）成分が、下記（ａ１）成分から選ばれる１種以上のアニオン界面活性剤である、請求項３又は４に記載の衣料用粉末洗浄剤組成物。
（ａ１）成分：アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤
【請求項６】
前記（ａ２）成分が、下記（ａ２）成分から選ばれる１種以上のアニオン界面活性剤である、請求項３〜５の何れか記載の衣料用粉末洗浄剤組成物。
（ａ２）成分：アルキル基の炭素数が１０以上１８以下、アルキレンオキシド平均付加モル数が１以上３以下のポリオキシアルキレンアルキルエーテル硫酸エステル塩であって、ポリオキシアルキレンのオキシアルキレン基が炭素数２以上３以下のオキシアルキレン基であるポリオキシアルキレンアルキルエーテル硫酸エステル、及びアルケニル基の炭素数が１０以上１８以下、アルキレンオキシド平均付加モル数が１以上３以下のポリオキシアルキレンアルケニルエーテル硫酸エステル塩であって、ポリオキシアルキレンのオキシアルキレン基が炭素数２以上３以下のオキシアルキレン基であるポリオキシアルキレンアルケニルエーテル硫酸エステルから選ばれる１種以上のアニオン界面活性剤
【請求項７】
前記（ａ３）成分が、下記（ａ３）成分から選ばれる１種以上のアニオン界面活性剤である、請求項３〜６の何れか記載の衣料用粉末洗浄剤組成物。
（ａ３）成分：アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤
【請求項８】
（ａ１）成分及び（ａ２）成分の含有量の合計と、（ａ３）成分の含有量との質量比〔（ａ１）＋（ａ２）〕／（ａ３）が、０．０５以上１以下である、請求項３〜７の何れかに記載の衣料用粉末洗浄剤組成物。
【請求項９】
（ａ）成分が、（ａ１）成分から選ばれる１種以上のアニオン界面活性剤と（ａ２）成分から選ばれる１種以上のアニオン界面活性剤を含むアニオン界面活性剤である、請求項２〜８の何れかに記載の衣料用粉末洗浄剤組成物。
【請求項１０】
（ａ１）成分の含有量と、（ａ２）成分及び（ａ３）成分の含有量の合計との質量比（ａ１）／〔（ａ２）＋（ａ３）〕が、０．１以上１．５以下である、請求項２〜９の何れかに記載の衣料用粉末洗浄剤組成物。
【請求項１１】
（ｂ）成分が、カリウムミョウバン、ナトリウムミョウバン、アンモニウムミョウバン、及び硫酸アルミニウムから選ばれる１種以上の水溶性アルミニウム塩である、請求項１〜１０の何れかに記載の衣料用粉末洗浄剤組成物。
【請求項１２】
（ｃ）成分が、硫酸ナトリウム、及び塩化ナトリウムから選ばれる１種以上の化合物である、請求項１〜１１の何れかに記載の衣料用粉末洗浄剤組成物。
【請求項１３】
（ｄ１）成分が、炭酸ナトリウム、炭酸カリウム、炭酸リチウム、炭酸水素ナトリウム、炭酸水素カリウム、及びケイ酸ナトリウムから選ばれる１種以上の水溶性アルカリ塩である、請求項１〜１２の何れかに記載の衣料用粉末洗浄剤組成物。
【請求項１４】
（ｄ）成分を、０．１質量％以上１２質量％以下含有する、請求項１〜１３の何れかに記載の衣料用粉末洗浄剤組成物。
【請求項１５】
（ｅ１）成分が、ギ酸、酢酸、シュウ酸、プロピオン酸、マロン酸、マレイン酸、フマル酸、コハク酸、安息香酸、フタル酸、１，２，３−ベンゼントリカルボン酸、１，２，４，５−ベンゼンテトラカルボン酸、及びこれらの塩から選ばれる１種以上の化合物である、請求項１〜１４の何れかに記載の衣料用粉末洗浄剤組成物。
【請求項１６】
（ｅ２）成分が、グリコール酸、乳酸、クエン酸、リンゴ酸、酒石酸、サリチル酸、及びこれらの塩から選ばれる１種以上の化合物である、請求項１〜１５の何れかに記載の衣料用粉末洗浄剤組成物。
【請求項１７】
手洗い洗濯用である、請求項１〜１６の何れかに記載の衣料用粉末洗浄剤組成物。
【請求項１８】
衣料用粉末洗浄剤組成物１ｇを、アルカリ度１００ｍｇ／Ｌ、ドイツ硬度１０゜ｄＨ、ｐＨ７．５の２０℃の水２５０ｇに分散させた分散液の２０℃におけるｐＨが、５．５以上９．５以下である、請求項１〜１７の何れかに記載の衣料用粉末洗浄剤組成物。
【請求項１９】
請求項１〜１８の何れかに記載の衣料用粉末洗浄剤組成物と水とを混合して得た洗浄液を用いて、衣料を洗浄する、衣料の洗浄方法。
【請求項２０】
衣料が、食品由来の油汚れが付着した衣料である、請求項１９に記載の衣料の洗浄方法。
【請求項２１】
衣料を手洗い洗浄する、請求項１９又は２０に記載の衣料の洗浄方法。
【発明の詳細な説明】
【技術分野】
【０００１】
本発明は、衣料用粉末洗浄剤組成物、及び衣料の洗浄方法に関する。
【背景技術】
【０００２】
近年では、アジア地域の洗濯機の普及が増加する傾向にあるが、洗浄力、経済性の観点、文化的背景、洗濯意識などから、手洗い洗濯が依然として広く行われている。手洗い洗濯は、洗濯機による洗濯と比較した場合、汚れの落ち具合、衣料の種類など、状況に応じたきめ細かい洗浄に適している。日本においても、汚れ度合が大きい衣料に対しては、予め手洗いした後に、洗濯機を用いて洗濯する方法も行われている。
【０００３】
しかし、手洗い洗濯は、肉体的、精神的疲労感が伴う作業である。また、洗浄剤を計量する場合や溶解する場合に手で粉末洗浄剤をつかみ水の中で撹拌した後の洗濯中は、長時間洗濯液の中に手を入れているため、手にぬるつきを感じるために不快感を伴う場合がある。
【０００４】
粉末洗浄剤組成物では、洗浄液のｐＨをアルカリ性にすることで洗浄力が高まることから、一般的にアルカリ成分が配合されている。特許文献１には、特定量の種々の界面活性剤とアルカリ金属炭酸塩と水溶性無機アルミニウム化合物を組み合わせることで洗浄性能、泡立ち、加工特性が良くなる技術が開示されている。
【０００５】
特許文献２には、１０〜６０％のクエン酸ソーダ、非石鹸系アニオン界面活性剤、アルミニウム塩を用いることで、河川等の富栄養化を防止するとともに輸送あるいは包装時に微細化を防止しうる重質粒状洗浄剤組成物に関する技術が開示されている。当該明細書にはアルミニウム塩は洗浄剤粒子の強度を増大させる作用を有することが記載されている。
【０００６】
特許文献３には、合成アニオン界面活性剤に、あらかじめ酒石酸のようなヒドロキシカルボン酸にその量の２〜３モル倍の水溶性アルミニウム塩を中性からわずかにアルカリ性の水溶液中で反応させたのち乾燥させたものを組み合わせることで合成アニオン界面活性剤による皮膚への刺激を抑制した、水酸化アルミニウムのゲルが沈殿しない洗剤の技術が開示されている。
【０００７】
特許文献４には、アニオン界面活性剤と多価カチオン含有塩を含有する洗剤組成物であって、組成物がすすぎの間に状態図における界面活性剤―カチオン沈殿が起こる領域を通過することで、すすぎ時にぬるぬるした感じが無く、きしみ感触を高める技術が開示されている。多価カチオン含有塩としてアルミニウム塩が記載されている。
【先行技術文献】
【特許文献】
【０００８】
【特許文献１】米国特許第４２９９７３９号明細書
【特許文献２】特開昭４９−２９３０１号公報
【特許文献３】米国特許第３０１１９７７号明細書
【特許文献４】特開２００７−１１２９８４号公報
【発明の概要】
【発明が解決しようとする課題】
【０００９】
特許文献１によればアルカリ金属炭酸塩のようなアルカリ性を供する剤を大量に配合しており、これに水溶性無機アルミニウム化合物を添加することで洗浄力の向上は得られるが、アルカリ剤が多く手洗い洗濯時のぬるつき感を感じ不快である課題がある。
【００１０】
特許文献２によれば洗剤原料としては高価なクエン酸ソーダを大量に配合している上に、アルミニウム塩を加えていることで環境に配慮しながら、高い粒子強度を達成しているものの、アルミニウム塩とクエン酸が複合体を形成する為、手洗い洗濯時にぬるつき感を感じる課題がある。
【００１１】
特許文献３においては洗剤を製造する前に高価なヒドロキシカルボン酸に水溶性アルミニウム塩を混合した後、乾燥すると言った煩雑な作業を伴うにもかかわらず、皮膚への刺激を低減するのみであり、手洗い時にぬるつき感を感じる課題がある。
【００１２】
特許文献４には、すすぎ時にぬるぬるした感じがなく、きしみ感触を高める技術は開示されているが、硫酸ナトリウムや塩化ナトリウムによるぬるつきの課題は認識されていない。
【００１３】
本発明は、水への溶解性に優れ、食品由来の油汚れに対する高洗浄力を有し、手洗い作業が快適な衣料用粉末洗浄剤組成物を提供する。
【課題を解決するための手段】
【００１４】
本発明は、下記（ａ）成分を１０質量％以上４０質量％以下、（ｂ）成分を無水物換算で０．３質量％以上６質量％以下、（ｃ）成分を１０質量％以上８０質量％以下、（ｄ）成分及び（ｅ）成分を含有し、（ｅ）成分と（ｂ）成分の質量比（ｅ）成分／（ｂ）成分が、０以上０．５以下である衣料用粉末洗浄剤組成物であり、衣料用粉末洗浄剤組成物１ｇを水２５０ｇに分散させた分散液の２０℃におけるｐＨが５．５以上９．５以下である、衣料用粉末洗浄剤組成物に関する。
（ａ）成分：アニオン界面活性剤
（ｂ）成分：水溶性アルミニウム塩
（ｃ）成分：アルカリ金属硫酸塩、及びアルカリ金属塩化物から選ばれる１種以上の化合物
（ｄ）成分：下記（ｄ１）成分、（ｄ２）成分、及び（ｄ３）成分から選ばれる１種以上のアルカリ剤
（ｄ１）成分：アルカリ金属炭酸塩、アルカリ金属炭酸水素塩、及びアルカリ金属ケイ酸塩から選ばれる１種以上の水溶性アルカリ塩
（ｄ２）成分：構成元素としてアルカリ金属を含むアルミノケイ酸塩、及び構成元素としてアルカリ金属を含むスメクタイト系粘土から選ばれる１種以上の化合物
（ｄ３）成分：トリポリリン酸塩
（ｅ）成分：下記の（ｅ１）成分及び（ｅ２）成分から選ばれる１種以上の化合物（但し、（ａ）成分は除く）
（ｅ１）成分：分子内のカルボキシル基又はその塩の数が１個以上１０個以下のカルボン酸及び／又はその塩
（ｅ２）成分：分子内のカルボキシル基又はその塩の数が１個以上１０個以下のヒドロキシカルボン酸及び／又はその塩
【００１５】
本発明は、一つの側面において、下記（ａ）成分を１０質量％以上４０質量％以下、（ｂ）成分を無水物換算で０．３質量％以上６質量％以下、（ｃ）成分を３０質量％以上８０質量％以下、（ｄ）成分及び（ｅ）成分を含有し、（ｅ）成分と（ｂ）成分の質量比（ｅ）成分／（ｂ）成分が、０以上０．５以下である衣料用粉末洗浄剤組成物であり、衣料用粉末洗浄剤組成物１ｇを水２５０ｇに分散させた分散液の２０℃におけるｐＨが５．５以上８以下である、衣料用粉末洗浄剤組成物を提供する。
（ａ）成分：下記（ａ１）成分、（ａ２）成分、及び（ａ３）成分から選ばれる１種以上のアニオン界面活性剤
（ａ１）成分：アルキル又はアルケニル硫酸エステル塩
（ａ２）成分：アルキレンオキシ基を有するポリオキシアルキレンアルキル又はアルケニルエーテル硫酸エステル塩
（ａ３）成分：スルホン酸塩基を有するアニオン界面活性剤
（ｂ）成分：水溶性アルミニウム塩
（ｃ）成分：アルカリ金属硫酸塩、及びアルカリ金属塩化物から選ばれる１種以上の化合物
（ｄ）成分：下記（ｄ１）成分、（ｄ２）成分から選ばれる１種以上のアルカリ剤
（ｄ１）成分：アルカリ金属炭酸塩、アルカリ金属炭酸水素塩、及びアルカリ金属ケイ酸塩から選ばれる１種以上の水溶性アルカリ塩
（ｄ２）成分：構成元素としてアルカリ金属を含むアルミノケイ酸塩、及び構成元素としてアルカリ金属を含むスメクタイト系粘土から選ばれる１種以上の化合物
（ｅ）成分：カルボン酸及び／もしくはその塩、又はヒドロキシカルボン酸及び／もしくはその塩
【００１６】
また、本発明は、前記本発明の衣料用粉末洗浄剤組成物と水とを混合して得た洗浄液を用いて、衣料を手洗い洗浄する、衣料の洗浄方法に関する。
【発明の効果】
【００１７】
本発明によれば、水への溶解性に優れ、食品由来の油汚れに対する高洗浄力を有し、手洗い作業が快適な衣料用粉末洗浄剤組成物が提供される。より詳細には、本発明の衣料用粉末洗浄剤組成物は、手洗い洗濯時やすすぎ時にぬるつきが少ない、手洗い洗濯時やすすぎ時に衣料用粉末洗浄剤組成物の残留感が少ない、など、手洗い作業の際に快適な感触を手に与えることができる。
【発明を実施するための形態】
【００１８】
＜（ａ）成分＞
本発明の（ａ）成分は、アニオン界面活性剤である。（ａ）成分の具体例としては、下記（ａ１）成分、（ａ２）成分、（ａ３）成分、及び（ａ４）成分から選ばれる１種以上のアニオン界面活性剤が挙げられる。
（ａ１）成分：アルキル又はアルケニル硫酸エステル塩
（ａ２）成分：アルキレンオキシ基を有するポリオキシアルキレンアルキル又はアルケニルエーテル硫酸エステル塩
（ａ３）成分：スルホン酸塩基を有するアニオン界面活性剤
（ａ４）成分：炭素数１２以上２４以下の脂肪酸又はその塩（但し、（ｅ）成分を除く）
【００１９】
（ａ１）成分として、より具体的には、アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤が挙げられる。洗浄性の向上の観点又は手洗い作業の快適さの向上の観点から、（ａ１）成分は、アルキル基の炭素数が１２以上１４以下のアルキル硫酸エステル塩から選ばれる１種以上のアニオン界面活性剤が好ましく、アルキル基の炭素数が１２以上１４以下のアルキル硫酸エステルナトリウムから選ばれる１種以上のアニオン界面活性剤がより好ましい。
【００２０】
（ａ２）成分として、より具体的には、アルキル基の炭素数が１０以上１８以下、及びアルキレンオキシド平均付加モル数が１以上３以下のポリオキシアルキレンアルキルエーテル硫酸エステル塩、及びアルケニル基の炭素数が１０以上１８以下、及びアルキレンオキシド平均付加モル数が１以上３以下のポリオキシアルキレンアルケニルエーテル硫酸エステル塩から選ばれる１種以上のアニオン界面活性剤が挙げられる。オキシアルキレン基としては炭素数２以上３以下のオキシアルキレン基が挙げられる。炭素数２以上３以下のオキシアルキレン基としては、オキシプロピレン基及びオキシエチレン基から選ばれる１種以上の基が挙げられる。洗浄性の向上や洗浄時の起泡性の向上の観点から、（ａ２）成分は、平均エチレンオキシド付加モル数が１以上２．２以下であるポリオキシエチレンアルキルエーテル硫酸エステル塩が好ましく、アルキル基の炭素数が１２以上１４以下でかつ、平均エチレンオキシド付加モル数が１以上２．２以下であるポリオキシエチレンアルキルエーテル硫酸エステル塩がより好ましく、さらに、これらのナトリウム塩が更に好ましい。
【００２１】
（ａ３）成分であるスルホン酸塩基を有するアニオン界面活性剤とは、親水基としてスルホン酸塩を有するアニオン界面活性剤を表す。
（ａ３）成分として、より具体的には、アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤が挙げられる。洗浄性や洗浄時の起泡性の観点から、（ａ３）成分は、アルキル基の炭素数が１１以上１４以下のアルキルベンゼンスルホン酸塩が好ましく、アルキル基の炭素数が１１以上１４以下のアルキルベンゼンスルホン酸ナトリウムがより好ましい。
【００２２】
（ａ４）成分は炭素数１２以上２４以下の脂肪酸又はその塩（但し、（ｅ）成分を除く）である。炭素数１２以上２４以下の脂肪酸又はその塩は、炭素数１１以上２３以下の脂肪族炭化水素基を疎水基とし、カルボン酸又はその塩を親水基として有するアニオン界面活性剤である。尚、本発明の（ａ４）成分は、（ｅ）成分とは異なる化合物である。（ａ４）成分としてより具体的には、ラウリン酸、ミリスチン酸、パルミチン酸、パルミトレイン酸、ステアリン酸、オレイン酸、エライジン酸、リノール酸、リノレン酸、又はその塩が挙げられる。
【００２３】
（ａ）成分であるアニオン界面活性剤の塩としては、アルカリ金属塩が好ましく、ナトリウム塩又はカリウム塩がより好ましく、ナトリウム塩が更に好ましい。
【００２４】
本発明の衣料用粉末洗浄剤組成物は、（ａ）成分を、食品由来の油汚れに対する洗浄性の向上の観点から、１０質量％以上、好ましくは１２質量％以上、より好ましくは１４質量％以上、更に好ましくは１５質量％以上、そして、手洗い作業の快適さの向上の観点から、４０質量％以下、好ましくは３０質量％以下、より好ましくは２８質量％以下、更に好ましくは２５質量％以下含有する。
【００２５】
本発明の衣料用粉末洗浄剤組成物は、（ａ）成分として、（ａ１）成分及び（ａ２）成分から選ばれる１種以上のアニオン界面活性剤と、（ａ３）成分から選ばれる１種以上のアニオン界面活性剤を含有することが好ましい。本発明の衣料用粉末洗浄剤組成物は、（ａ１）成分から選ばれる１種以上のアニオン界面活性剤と（ａ３）成分から選ばれる１種以上のアニオン界面活性剤を含有することがより好ましい。また、（ａ）成分が、（ａ１）成分から選ばれる１種以上のアニオン界面活性剤と（ａ３）成分から選ばれる１種以上のアニオン界面活性剤とであってもよい。また、本発明の衣料用粉末洗浄剤組成物は、（ａ）成分として、（ａ１）成分から選ばれる１種以上のアニオン界面活性剤と、（ａ２）成分から選ばれる１種以上のアニオン界面活性剤とを含有してもよい。更には、（ａ）成分が、（ａ１）成分から選ばれる１種以上のアニオン界面活性剤と、（ａ２）成分から選ばれる１種以上のアニオン界面活性剤とであってもよい。これらの（ａ）成分の組み合わせが、更に（ａ４）成分を含んでいても良い。
【００２６】
（ａ）成分中、（ａ１）成分の含有量と、（ａ２）成分及び（ａ３）成分の含有量の合計との質量比（ａ１）／〔（ａ２）＋（ａ３）〕は、食品由来の油汚れの洗浄力が向上する観点から、好ましくは０．１以上、より好ましくは０．２以上であり、そして、好ましくは１．５以下、より好ましくは１．２以下、更に好ましくは１以下である。ここで、質量比（ａ１）／〔（ａ２）＋（ａ３）〕において、〔（ａ２）＋（ａ３）〕の意味は、（ａ２）成分及び（ａ３）成分を何れも含む態様だけでなく、（ａ２）成分及び（ａ３）成分の一方のみを含む態様をも意味する。
【００２７】
（ａ）成分中、（ａ１）成分及び（ａ２）成分の含有量の合計と、（ａ３）成分の含有量との質量比〔（ａ１）＋（ａ２）〕／（ａ３）は、食品由来の油汚れの洗浄力が向上する観点又は手洗い作業の快適さの向上の観点から、好ましくは０．０５以上、より好ましくは０．１以上、更に好ましくは０．２以上であり、そして、好ましくは１以下、より好ましくは０．９以下、更に好ましくは０．８以下、より更に好ましくは０．６以下である。本発明は、衣料用粉末洗浄剤組成物が（ａ）成分として（ａ３）成分を含有しない態様を含むが、前記質量比〔（ａ１）＋（ａ２）〕／（ａ３）は、本発明の衣料用粉末洗浄剤組成物が（ａ）成分として（ａ３）成分を含有する場合に成り立つ質量比である。
【００２８】
＜（ｂ）成分＞
本発明の（ｂ）成分は、水溶性アルミニウム塩である。（ｂ）成分について、「水溶性」とは、２０℃の水１００ｇに１ｇ以上溶解することをいう。
水溶性アルミニウム塩としては、カリウムミョウバン（硫酸カリウムアルミニウム）、アンモニウムミョウバン（硫酸アンモニウムアルミニウム）、ナトリウムミョウバン（硫酸ナトリウムアルミニウム）、硫酸アルミニウム、酢酸アルミニウム、塩化アルミニウム、硝酸アルミニウムが挙げられる。水溶性アルミニウム塩は、手洗い作業の快適さを向上する観点から、好ましくはカリウムミョウバン、アンモニウムミョウバン及びナトリウムミョウバン、硫酸アルミニウムである。
（ｂ）成分は、水和物であっても無水物であっても良いが、本発明の衣料用粉末洗浄剤組成物と洗濯に使用する水を接触させた混合物と、手を接触させた直後から１分程度の初期の段階から、手洗い作業の快適さを向上する観点から、水和物が好ましい。
更に好ましくは硫酸カリウムアルミニウム１２水和物、硫酸ナトリウムアルミニウム１２水和物、硫酸アンモニウムアルミニウム１２水和物、及び硫酸アルミニウム１６水和物から選ばれる１種以上の水溶性アルミニウム塩であり、水に溶けやすい観点から、より更に好ましくは硫酸カリウムアルミニウム１２水和物、硫酸アンモニウムアルミニウム１２水和物、及び硫酸アルミニウム１６水和物から選ばれる１種以上の水溶性アルミニウム塩である。
【００２９】
本発明の衣料用粉末洗浄剤組成物は、手洗い作業の快適さを向上する観点から、（ｂ）成分を、無水物換算で、０．３質量％以上、好ましくは０．４質量％以上、より好ましくは０．５質量％以上、更に好ましくは０．８質量％以上、より更に好ましくは１質量％以上、そして、食品由来の油汚れに対する洗浄力の向上又は溶解性の向上の観点から、６質量％以下、好ましくは４質量％以下含有する。
【００３０】
＜（ｃ）成分＞
本発明の（ｃ）成分は、アルカリ金属硫酸塩、及びアルカリ金属塩化物から選ばれる１種以上の化合物である。（ｃ）成分は、衣料の洗浄操作を行う場所、洗面器などの容器等に一部使用されている金属への腐食性を低減する観点から、好ましくは硫酸ナトリウム、及び塩化ナトリウムから選ばれる１種以上の化合物であり、より好ましくは硫酸ナトリウムである。
【００３１】
（ｃ）成分は、配合成分の量の調整などの目的で粉末形態の衣料用洗浄剤組成物中に配合される成分であるが、（ｃ）成分の存在は、手洗い作業の快適さを低下させる原因となることが新たに見出された。本発明では、（ｃ）成分の含有量が多くても、手洗い作業の快適さを向上できる。このような効果は、本発明の衣料用粉末洗浄剤組成物中の（ｃ）成分の含有量が多いほど、実感される。
本発明の衣料用粉末洗浄剤組成物は、（ｃ）成分を、本発明の衣料用粉末洗浄剤組成物の溶解性の向上又は手洗い時の作業の快適さの向上がより実感できる観点から、１０質量％以上、好ましくは１５質量％以上、より好ましくは２０質量％以上、更に好ましくは２５質量％以上、更により好ましくは３０質量％以上、更により好ましくは３５質量％以上、更により好ましくは４０質量％以上、更により好ましくは４５質量％以上、そして、手洗い作業の快適さの向上の観点から、８０質量％以下、好ましくは７０質量％以下、より好ましくは６６質量％以下含有する。
【００３２】
＜（ｄ）成分＞
本発明の（ｄ）成分は、下記（ｄ１）成分、（ｄ２）成分、及び（ｄ３）成分から選ばれる１種以上のアルカリ剤である。アルカリ剤とは、水のｐＨを上げる作用を有する剤を言う。
（ｄ１）成分：アルカリ金属炭酸塩、アルカリ金属炭酸水素塩、及びアルカリ金属ケイ酸塩から選ばれる１種以上の水溶性アルカリ塩
（ｄ２）成分：構成元素としてアルカリ金属を含むアルミノケイ酸塩、構成元素としてアルカリ金属を含むスメクタイト系粘土から選ばれる１種以上の化合物
（ｄ３）成分：トリポリリン酸塩
【００３３】
（ｄ１）成分はアルカリ金属炭酸塩、アルカリ金属炭酸水素塩、及びアルカリ金属ケイ酸塩から選ばれる１種以上の水溶性アルカリ塩である。（ｄ１）成分としては、炭酸ナトリウム、炭酸カリウム、炭酸リチウム、炭酸水素ナトリウム、炭酸水素カリウム、及びケイ酸ナトリウムから選ばれる１種以上の水溶性アルカリ塩が挙げられる。（ｄ１）成分は、ｐＨ調整の観点から、好ましくは炭酸ナトリウム、炭酸カリウム、炭酸水素ナトリウム、及び炭酸水素カリウムから選ばれる１種以上の水溶性アルカリ塩であり、より好ましくは炭酸ナトリウム、及び炭酸カリウムから選ばれる１種以上の水溶性アルカリ塩であり、更に好ましくは炭酸ナトリウムである。
また、本発明の衣料用粉末洗浄剤組成物１ｇを水２５０ｇに分散させた分散液の２０℃におけるｐＨが高くても、手洗い作業の快適さが低下しにくい点又は洗浄性が向上できる点で、（ｄ１）成分はアルカリ金属ケイ酸塩を含む水溶性アルカリ塩が好ましい。アルカリ金属ケイ酸塩としては、ケイ酸ナトリウムが好ましい。
【００３４】
（ｄ２）成分は、構成元素としてアルカリ金属を含むアルミノケイ酸塩、構成元素としてアルカリ金属を含むスメクタイト系粘土から選ばれる１種以上の化合物である。アルミノケイ酸塩としては、一般式（ＭＩ，ＭII１／２）ｍ（ＡｌｍＳｉｎＯ２（ｍ＋ｎ））・ｘＨ２Ｏで表される化合物であり、ＭＩがナトリウム、カリウム又はリチウムであり、ＭIIがカルシウム、マグネシウム又はバリウムであり、ｎは１０以上１３６以下の数であり、ｍは１０以上９０以下の数であり、ｎ≧ｍであり、ｘは１０以上３００以下の数である。ＭＩは好ましくはナトリウム、カリウムであり、より好ましくはナトリウムである。ＭIIは好ましくはマグネシウム、カルシウムであり、より好ましくはマグネシウムである。ｎは好ましくは１０以上２０以下の数であり、ｍは好ましくは１０以上１９以下の数である。例えばゼオライトＡ型、ゼオライトＰ型、フェリエライト、モルデナイトなどが挙げられるが、ｐＨを調整し洗浄力を向上させる点、又は手洗い作業の快適さの向上の観点から好ましくはゼオライトＡ型である。
スメクタイト系粘土としては、ベントナイト、及びモンモリロナイトから選ばれる１種以上の化合物が挙げられる。ｐＨを調整し洗浄力を向上させる点、又は手洗い作業の快適さの向上の観点から好ましくはベントナイトである。
【００３５】
（ｄ３）成分は、トリポリリン酸塩である。塩としてはアルカリ金属塩が好ましく、ナトリウム塩がより好ましい。
【００３６】
本発明の衣料用粉末洗浄剤組成物は、（ｄ）成分を、食品由来の油汚れに対する洗浄力の向上の観点から、好ましくは０．１質量％以上、より好ましくは０．３質量％以上、更に好ましくは０．５質量％以上、そして、洗浄液のｐＨを適切にして手洗い作業の快適さを向上する観点から、好ましくは１２質量％以下、より好ましくは１０質量％以下、更に好ましくは９質量％以下、より更に好ましくは８質量％以下、より更に好ましくは７質量％以下、より更に好ましくは６質量％以下含有する。
【００３７】
＜（ｅ）成分＞
本発明の（ｅ）成分は、下記の（ｅ１）成分及び（ｅ２）成分から選ばれる１種以上の化合物である。
（ｅ１）成分：分子内のカルボキシル基又はその塩の数が１個以上１０個以下のカルボン酸及び／又はその塩
（ｅ２）成分：分子内のカルボキシル基又はその塩の数が１個以上１０個以下のヒドロキシカルボン酸及び／又はその塩
【００３８】
分子内のカルボキシル基又はその塩の数が１個以上１０個以下のカルボン酸及び／又はその塩とは、分子内にヒドロキシ基を含まないカルボン酸及び／又はその塩を意味する。（ｅ）成分、すなわち前記（ｅ１）成分または（ｅ２）成分における、分子内のカルボキシル基又はその塩の数は、ｐＨ調整の観点から、１個以上、好ましくは２個以上、より好ましくは３個以上であり、そして、ハンドリングの観点から、１０個以下、より好ましくは８個以下、更に好ましくは５個以下、より更に好ましくは４個以下、より更に好ましくは３個以下である。
本発明の（ｅ）成分は、手洗い作業の快適さをより向上できる観点から、塩になっていないカルボキシル基を含む化合物、すなわち、酸型の化合物であることが好ましい。
【００３９】
（ｅ１）成分としては、ギ酸、酢酸、シュウ酸、プロピオン酸、マロン酸、マレイン酸、フマル酸、コハク酸、安息香酸、フタル酸、１，２，３−ベンゼントリカルボン酸、１，２，４，５−ベンゼンテトラカルボン酸（ピロメリット酸）、及びこれらの塩から選ばれる１種以上の化合物が挙げられる。ハンドリングの観点から、（ｅ１）成分は、ギ酸、酢酸、安息香酸及びこれらの塩から選ばれる１種以上の化合物が好ましい。
【００４０】
（ｅ２）成分としては、グリコール酸、乳酸、クエン酸、リンゴ酸、酒石酸、サリチル酸、及びこれらの塩から選ばれる１種以上の化合物が挙げられる。ハンドリングの観点から、（ｅ１）成分は、乳酸、クエン酸、リンゴ酸、及びこれらの塩から選ばれる１種以上の化合物が好ましい。
【００４１】
（ｅ）成分としては、（ｂ）成分による手洗い作業の快適さが、より低下しにくい点で（ｅ２）成分が好ましい。
【００４２】
本発明の（ｅ）成分として、炭素数１１以上の脂肪族炭化水素基を含まない化合物が挙げられる。そのような化合物は（ａ４）成分の化合物とより明確に区別される。
【００４３】
（ｅ）成分の塩は、ナトリウム塩、カリウム塩などのアルカリ金属塩が好ましい。（ｅ）成分は、水和物であっても無水物であっても良い。
【００４４】
本発明の衣料用粉末洗浄剤組成物は、任意に（ｅ）成分を含有する。（ｅ）成分は、（ｂ）成分とコンプレックスを形成して、手洗い作業の快適さを低下させる傾向があることから、本発明の衣料用粉末洗浄剤組成物が（ｅ）成分を含有する場合、その含有量は制限される。本発明では、（ｅ）成分と（ｂ）成分の質量比（ｅ）成分／（ｂ）成分は、０以上であり、そして、手洗い作業の快適さの向上の観点から０．５以下、好ましくは０．３以下、より好ましくは０．１以下である。（ｅ）／（ｂ）の質量比は０であってもよい。
【００４５】
＜その他の成分、使用方法等＞
本発明の衣料用粉末洗浄剤組成物は、ノニオン界面活性剤を含有できる。ノニオン界面活性剤は、洗浄補助剤として配合することができる。ノニオン界面活性剤としては、特に限定されるものではないが、ポリオキシアルキレンアルキルエーテル型ノニオン界面活性剤が好ましく、具体的には、下記一般式（１）の化合物が挙げられる。
Ｒ１−Ｏ［（ＥＯ）ａ／（ＰＯ）ｂ］−Ｈ                （１）
〔式中、Ｒ１は炭素数１０以上、好ましくは１２以上、そして、１８以下、好ましくは１６以下、より好ましくは１４以下のアルキル基又はアルケニル基を示す。ＥＯはエチレンオキシ基、ＰＯはプロピレンオキシ基である。ａは数平均付加モル数であり０以上３０以下の数、ｂは数平均付加モル数であり０以上１０以下の数を示し、ａ及びｂの両者が０の場合を除く。〕
【００４６】
ノニオン界面活性剤の含有量は、組成物中、洗浄力の向上の観点から、好ましくは０質量％以上、そして、好ましくは６質量％以下、より好ましくは３質量％以下である。
【００４７】
本発明の衣料用粉末洗浄剤組成物は、両性界面活性剤を含有できる。両性界面活性剤としては、特に限定されるものではないが、例えば炭素数８以上１８以下のアルキル基を有するアルキルアミンオキシド、カルボベタイン、アミドベタイン、スルホベタイン、アミドスルホベタイン、イミダゾリニウムベタイン、ホスホベタイン等が挙げられる。両性界面活性剤の含有量は、組成物中、起泡性の向上の観点から、好ましくは０．１質量％以上であり、そして、好ましくは４質量％以下、より好ましくは２質量％以下である。
【００４８】
本発明の衣料用粉末洗浄剤組成物は、カチオン界面活性剤を含有できる。カチオン界面活性剤としては、特に限定されるものではないが、第４級アンモニウム型界面活性剤又は３級アミン型界面活性剤が好ましく、更にはエーテル結合、オキシアルキレン基、エステル基、又はアミド基で分断されていてもよい炭素数６以上２２以下の炭化水素基を１つ有する第４級アンモニウム型界面活性剤又は３級アミン型界面活性剤が好ましい。カチオン界面活性剤の含有量は、組成物中、起泡性の向上の観点から、好ましくは０．１質量％以上、より好ましくは３質量％以上であり、そして、好ましくは１質量％以下である。
【００４９】
本発明の衣料用粉末洗浄剤組成物は、界面活性剤の全量中、（ａ）成分の割合が、洗浄力の向上の観点から、好ましくは７０質量％以上、より好ましくは８０質量％以上、更に好ましくは９０質量％以上であり、そして、好ましくは１００質量％以下である。また、界面活性剤の全量中、（ａ）成分の割合は、１００質量％であってもよい。
【００５０】
本発明の衣料用粉末洗浄剤組成物には、本発明の効果に影響を与えない範囲で洗浄剤の成分として公知の成分を配合することができる。具体的には、漂白剤（過ホウ酸塩、漂白活性化剤等）、再汚染防止剤、活性白土、柔軟化剤（ベントナイト等）、還元剤、蛍光増白剤、抑泡剤（シリコーン等）、香料、酵素（アルカリプロテアーゼ、プロテアーゼ、セルラーゼ、ペプチナーゼ、リパーゼ、デキストラナーゼ、アミラーゼ等）、着色剤、（ｄ）成分以外の無機ケイ酸塩等が挙げられる。
【００５１】
また、本発明の衣料用粉末洗浄剤組成物の水への溶解性がより向上する観点、又は手洗い作業の快適さがより向上する観点から、２価の金属塩を含むことが好ましい。２価の金属塩としては、好ましくはマグネシウム塩であり、より好ましくは硫酸マグネシウム及び塩化マグネシウムから選ばれる１種以上の化合物である。２価の金属塩の含有量は、組成物中、好ましくは０．５質量％以上１０質量％以下である。
【００５２】
また、本発明の衣料用粉末洗浄剤組成物の水への溶解性がより向上する観点、又は洗浄性がより向上する観点から、カルボキシル基を含むポリマー（カルボキシル基の数は平均で２０個以上）を含むことが好ましい。カルボキシル基を含むポリマーとしては、ポリアクリル酸又はその塩が挙げられる。ポリアクリル酸又はその塩の重量平均分子量は１５００以上１００００以下が好ましい。カルボキシル基を含むポリマーの含有量は、組成物中、好ましくは０．１質量％以上５質量％以下である。カルボキシル基を含むポリマーの重量平均分子量は、ゲル浸透クロマトグラフィーを用い、重量平均分子量が既知のポリエチレングリコールを標品として測定することができる。
【００５３】
本発明の衣料用粉末洗浄剤組成物は、食品由来の油汚れに対する洗浄力の向上の観点及び（ｂ）成分が沈殿物を形成することを防止する観点から、衣料用粉末洗浄剤組成物１ｇを水２５０ｇに分散させた分散液の２０℃におけるｐＨが、５．５以上、好ましくは６．０以上、そして、手洗い作業の快適さを向上させる観点から、９．５以下、好ましくは９．０以下、より好ましくは８．５以下、更に好ましくは８以下、より更に好ましくは７．５以下、より更に好ましくは７．０以下である。
ｐＨの測定において、衣料用粉末洗浄剤組成物を分散させる水は、洗浄に使用される水の多様性に対応して所定のｐＨを達成するために、アルカリ度１０ｍｇ／Ｌ以上３００ｍｇ／Ｌ以下、ドイツ硬度１゜ｄＨ以上５０゜ｄＨ以下の水を用いることができる。
本発明の衣料用粉末洗浄剤組成物は、衣料用粉末洗浄剤組成物１ｇを、アルカリ度１００ｍｇ／Ｌ、ドイツ硬度１０゜ｄＨの２０℃の水２５０ｇに分散させた分散液の２０℃におけるｐＨが、前記範囲であることがより好ましい。
本発明の衣料用粉末洗浄剤組成物のｐＨは実施例に記載のｐＨの測定法で求められたｐＨであり、ガラス電極を用いて測定されたｐＨである。
本発明の衣料用粉末洗浄剤組成物は、衣料用粉末洗浄剤組成物１ｇを、アルカリ度１００ｍｇ／Ｌ、ドイツ硬度１０゜ｄＨ、ｐＨ７．５の２０℃の水２５０ｇに分散させた分散液の２０℃におけるｐＨが、前記範囲であることがより好ましい。後述の実施例では、これらのアルカリ度、ドイツ硬度及びｐＨを有する水を、洗浄力の評価方法で用いた。
本発明におけるアルカリ度とは、炭酸、炭酸イオン、炭酸水素イオンの総量を炭酸カルシウム（ＣａＣＯ３換算）の重量に換算した値であり、単位はｍｇ／Ｌである。
【００５４】
アルカリ度が未知の水を用いる場合は、水のアルカリ度は下記の方法で測定することができる。
〔アルカリ度の測定方法〕
検水１００ｍｌを２００ｍｌビーカーにとり、指示薬としてブロモクレゾールグリーン−メチルレッド・エタノール溶液（和光純薬工業（株）製）を０．１５ｍｌ加える。検水に残留塩素があるときは、あらかじめ検水１００ｍｌにチオ硫酸ナトリウム溶液（０．３ｗ／ｖ％）を加えて残留塩素を除いておく。この溶液を緩やかに攪拌しながら１０ｍｍｏｌ／ｌ硫酸で、溶液の色が青から赤紫色になるまで滴定する。次式によってアルカリ度を算出する。
アルカリ度（ＣａＣＯ３ｍｇ／ｌ）＝ａ×１０
ここで、ａ：滴定に要した１０ｍｍｏｌ／ｌ硫酸（ｍｌ）
着色した試料など、指示薬による変色が明らかでない場合には、指示薬に代えてｐＨ計を使用し、ｐＨ値が４．８までに要した１０ｍｍｏｌ／ｌ硫酸量（ｍｌ）をａとする。
【００５５】
本発明の衣料用粉末洗浄剤組成物は、手洗い洗濯用として好適である。手洗い洗濯の場合、油汚れに対する洗浄力の向上の観点から、本発明の衣料用粉末洗浄剤組成物は、水１Ｌに対して、好ましくは１ｇ以上、より好ましくは２ｇ以上、更に好ましくは３ｇ以上であり、そして、好ましくは３０ｇ以下、より好ましくは２０ｇ以下、更に好ましくは１０ｇ以下の濃度で用いられる。
本発明の衣料用粉末洗浄剤組成物は、目的に応じて洗濯機でも使用できる。洗濯機での洗濯の場合、油汚れに対する洗浄力及び使用時のｐＨの観点から、本発明の衣料用粉末洗浄剤組成物は、水１Ｌに対して、好ましくは０．６ｇ以上、より好ましくは１ｇ以上、更に好ましくは１．５ｇ以上であり、そして、好ましくは１０ｇ以下、より好ましくは７ｇ以下、更に好ましくは３ｇ以下の濃度で用いられる。
【００５６】
本発明の衣料用粉末洗浄剤組成物を用いた洗浄方法として、本発明の衣料用粉末洗浄剤組成物と水とを混合して得た洗浄液を用いて、衣料を洗浄する、衣料の洗浄方法が挙げられる。
洗浄液のｐＨは５．５以上９．５以下が好ましい。衣料は、食品由来の油汚れが付着した衣料が挙げられる。
【００５７】
更に、本発明の衣料用粉末洗浄剤組成物を用いた洗浄方法として、本発明の衣料用粉末洗浄剤組成物と水とを混合して得たｐＨ５．５以上９．５以下の洗浄液を用いて、食品由来の油汚れが付着した衣料を洗浄する、衣料の洗浄方法が挙げられる。
【００５８】
これらの洗浄方法では、衣料を手洗い洗浄することができる。
【００５９】
洗浄液のｐＨは、好ましくは５．５以上、より好ましくは６．０以上、そして、好ましくは９．５以下、より好ましくは９．０以下、更に好ましくは８．５以下、より更に好ましくは８以下、より更に好ましくは７．５以下である。
食品由来の油汚れは、色素を含むものが挙げられ、特に限られるものではないが、例えばラー油が挙げられる。
本発明の洗浄方法は、洗浄後の衣料を水ですすぐ工程を有することができる。
洗浄液の調製のため組成物と混合する水のアルカリ度は０ｍｇ／Ｌ以上２００ｍｇ／Ｌ以下から選択できる。また、洗浄液の調製のため組成物と混合する水のドイツ硬度は１゜ｄＨ以上５０゜ｄＨ以下から選択できる。よって、組成物と混合する水は、アルカリ度０ｍｇ／Ｌ以上２００ｍｇ／Ｌ以下、ドイツ硬度１゜ｄＨ以上５０゜ｄＨ以下の水が挙げられる。
本発明の洗浄液のｐＨは実施例に記載のｐＨの測定法で求められたｐＨであり、ガラス電極を用いて測定されたｐＨである。
【００６０】
洗浄に使用される水は、地質の影響や微生物の存在により、炭酸、炭酸イオン、炭酸水素イオンを含有することが知られており、これらのイオン量の指標としてアルカリ度が用いられている。水中での炭酸イオンと炭酸水素イオンのｐＫａはそれぞれ１０．３及び６．３（２０℃）であることから、ｐＨ１０．３並びに６．３近傍でｐＨ緩衝能を持つため、洗浄液のｐＨが各ｐＫａに近づくと少量の酸成分やアルカリ成分ではｐＨの変化が起きにくくなる。
【００６１】
一般的な洗浄に使用される水のｐＨが６以上８以下であることを考慮すると、アルカリ度の主因子は炭酸水素イオンであり、洗浄ｐＨを水よりも低下させる場合にｐＨ６．３付近で緩衝作用を発現する。アジア地域におけるアルカリ度は総じて高く、５０ｍｇ／Ｌ以上２００ｍｇ／Ｌ以下であるため、酸性成分を添加してもｐＨが変化しにくい水である。
【００６２】
洗浄に使用される水のドイツ硬度は、１°ｄＨ以上、更に２°ｄＨ以上、更に３°ｄＨ以上、更に５°ｄＨ以上であっても使用できる。一方、水のドイツ硬度は、洗浄力の向上の観点から５０°ｄＨ以下、好ましくは４０°ｄＨ以下、より好ましくは３０°ｄＨ以下、より好ましくは２５°ｄＨ以下である。
【００６３】
本明細書におけるドイツ硬度（°ｄＨ）とは、水中におけるカルシウム及びマグネシウムの濃度を、ＣａＣＯ３換算濃度で１ｍｇ／Ｌ（ｐｐｍ）＝約０．０５６°ｄＨ（１°ｄＨ＝１７．８ｐｐｍ）で表したものを指す。洗浄に使用される水のドイツ硬度の調整は、例えば、本明細書の実施例に記載の方法のように、硬度成分の種類や添加量から計算される値に基づいて行うことができる。また、洗浄に使用される水として、水道水等の硬度が不明の水を用いる場合には、水のドイツ硬度は、下記に記載のエチレンジアミン四酢酸二ナトリウム塩を使用したキレート滴定法で求められる。
本明細書における水のドイツ硬度の具体的な測定方法を下記に示す。
＜水のドイツ硬度の測定方法＞
〔試薬〕
・０．０１ｍｏｌ／ｌ  ＥＤＴＡ・２Ｎａ溶液：エチレンジアミン四酢酸二ナトリウムの０．０１ｍｏｌ／ｌ水溶液（滴定用溶液、0.01 M EDTA-Na2、シグマアルドリッチ（SIGMA-ALDRICH）社製）
・Ｕｎｉｖｅｒｓａｌ  ＢＴ指示薬（製品名：Ｕｎｉｖｅｒｓａｌ  ＢＴ、（株）同仁化学研究所製）
・硬度測定用アンモニア緩衝液（塩化アンモニウム６７．５ｇを２８ｗ／ｖ％アンモニア水５７０ｍｌに溶解し、イオン交換水で全量を１０００ｍｌとした溶液）
〔ドイツ硬度の測定〕
（１）試料となる水２０ｍｌをホールピペットでコニカルビーカーに採取する。
（２）硬度測定用アンモニア緩衝液２ｍｌ添加する。
（３）Ｕｎｉｖｅｒｓａｌ  ＢＴ指示薬を０．５ｍｌ添加する。添加後の溶液が赤紫色であることを確認する。
（４）コニカルビーカーをよく振り混ぜながら、ビュレットから０．０１ｍｏｌ／ｌ  ＥＤＴＡ・２Ｎａ溶液を滴下し、試料となる水が青色に変色した時点を滴定の終点とする。
（５）全硬度は下記の算出式で求める。
硬度（°ｄＨ）＝Ｔ×０．０１×Ｆ×５６．０７７４×１００／Ａ
Ｔ：０．０１ｍｏｌ／ｌ  ＥＤＴＡ・２Ｎａ溶液の滴定量（ｍＬ）
Ａ：サンプル容量（２０ｍＬ、試料となる水の容量）
Ｆ：０．０１ｍｏｌ／ｌ  ＥＤＴＡ・２Ｎａ溶液のファクター
【００６４】
本発明の衣料用洗浄剤組成物の形態は粉末である。本発明の衣料用洗浄剤組成物を粉末として製造する方法は、特に限られるものではないが、例えば押し出し造粒法、圧縮造粒法、溶融造粒法、噴霧乾燥造粒法、流動層造粒法、破砕造粒法、撹拌造粒法、液晶造粒法、真空凍結乾燥造粒法、ドライ中和造粒法などが挙げられ、これらの製造方法を単一または組み合わせて使用しても良い。
本発明の衣料用粉末洗浄剤組成物の嵩密度は、製造方法によっても異なるが、好ましくは２００ｇ／Ｌ以上、より好ましくは３００ｇ／Ｌ以上、より好ましくは３５０ｇ／Ｌ以上であり、そして、好ましくは１０００ｇ／Ｌ以下、より好ましくは９００ｇ／Ｌ以下、より好ましくは８００ｇ／Ｌ以下である。
本発明の衣料用粉末洗浄剤組成物の平均粒径は、好ましくは１００μｍ以上であり、１５０μｍ以上がより好ましく、２００μｍ以上がより好ましく、好ましくは８００μｍ以下であり、７５０μｍ以下がより好ましく、７００μｍ以下がより好ましい。
噴霧乾燥造粒法は、前記範囲の嵩密度や平均粒径を有する組成物を得るのに適している。
【００６５】
本発明の衣料用粉末洗浄剤組成物は、衣類、タオル、寝具、寝具用の繊維製品（シーツ、枕カバーなど）などの衣料の洗浄に用いられる。これら以外の洗濯が可能な繊維製品も対象とすることができる。
【００６６】
＜本発明の態様＞
本発明のより具体的な態様を以下に例示する。
【００６７】
＜１＞
下記（ａ）成分を１０質量％以上４０質量％以下、（ｂ）成分を無水物換算で０．３質量％以上６質量％以下、（ｃ）成分を１０質量％以上８０質量％以下、（ｄ）成分及び（ｅ）成分を含有し、（ｅ）成分と（ｂ）成分の質量比（ｅ）成分／（ｂ）成分が、０以上０．５以下である衣料用粉末洗浄剤組成物であり、衣料用粉末洗浄剤組成物１ｇを水２５０ｇに分散させた分散液の２０℃におけるｐＨが５．５以上、９．５以下である、衣料用粉末洗浄剤組成物。
（ａ）成分：アニオン界面活性剤
（ｂ）成分：水溶性アルミニウム塩
（ｃ）成分：アルカリ金属硫酸塩、及びアルカリ金属塩化物から選ばれる１種以上の化合物
（ｄ）成分：下記（ｄ１）成分、（ｄ２）成分、及び（ｄ３）成分から選ばれる１種以上のアルカリ剤
（ｄ１）成分：アルカリ金属炭酸塩、アルカリ金属炭酸水素塩、及びアルカリ金属ケイ酸塩から選ばれる１種以上の水溶性アルカリ塩
（ｄ２）成分：構成元素としてアルカリ金属を含むアルミノケイ酸塩、構成元素としてアルカリ金属を含むスメクタイト系粘土から選ばれる１種以上の化合物
（ｄ３）成分：トリポリリン酸塩
（ｅ）成分：下記の（ｅ１）成分及び（ｅ２）成分から選ばれる１種以上の化合物（但し、（ａ）成分は除く）
（ｅ１）成分：分子内のカルボキシル基又はその塩の数が１個以上１０個以下のカルボン酸及び／又はその塩
（ｅ２）成分：分子内のカルボキシル基又はその塩の数が１個以上１０個以下のヒドロキシカルボン酸及び／又はその塩
【００６８】
＜２＞
（ａ）成分が、下記（ａ１）成分、（ａ２）成分、（ａ３）成分及び（ａ４）成分から選ばれる１種以上のアニオン界面活性剤である、又は、下記（ａ１）成分、（ａ２）成分、及び（ａ３）成分から選ばれる１種以上のアニオン界面活性剤である、前記＜１＞に記載の衣料用粉末洗浄剤組成物。
（ａ１）成分：アルキル又はアルケニル硫酸エステル塩
（ａ２）成分：アルキレンオキシ基を有するポリオキシアルキレンアルキル又はアルケニルエーテル硫酸エステル塩
（ａ３）成分：スルホン酸塩基を有するアニオン界面活性剤
（ａ４）成分：炭素数１２以上２４以下の脂肪酸又はその塩（但し、（ｅ）成分を除く）
【００６９】
＜３＞
（ａ１）成分が、アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤である、好ましくはアルキル基の炭素数が１２以上１４以下のアルキル硫酸エステル塩である、好ましくはアルキル基の炭素数が１２以上１４以下のアルキル硫酸エステルナトリウムである、前記＜２＞に記載の衣料用粉末洗浄剤組成物。
【００７０】
＜４＞
（ａ２）成分が、アルキル基の炭素数が１０以上１８以下、アルキレンオキシド平均付加モル数が１以上３以下のポリオキシアルキレンアルキル硫酸エステル塩、及びアルケニル基の炭素数が１０以上１８以下、及びアルキレンオキシド平均付加モル数が１以上３以下のポリオキシアルキレンアルケニルエーテル硫酸エステル塩から選ばれる１種以上のアニオン界面活性剤である、好ましくは平均エチレンオキシド付加モル数が１以上２．２以下であるポリオキシエチレンアルキル硫酸エステル塩である、好ましくはアルキル基の炭素数が１２以上１４以下でかつ、平均エチレンオキシド付加モル数が１以上２．２以下であるポリオキシエチレンアルキル硫酸エステル塩である、更に好ましくはこれらのナトリウム塩である、前記＜２＞又は＜３＞に記載の衣料用粉末洗浄剤組成物。
【００７１】
＜５＞
（ａ３）が、アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤である、好ましくはアルキル基の炭素数が１１以上１４以下のアルキルベンゼンスルホン酸塩である、より好ましくはアルキル基の炭素数が１１以上１４以下のアルキルベンゼンスルホン酸ナトリウムである、前記＜２＞〜＜４＞の何れかに記載の衣料用粉末洗浄剤組成物。
【００７２】
＜６＞
（ａ４）成分が、ラウリン酸、ミリスチン酸、パルミチン酸、パルミトレイン酸、ステアリン酸、オレイン酸、エライジン酸、リノール酸及びリノレン酸から選ばれる１種以上の脂肪酸又はその塩である、前記＜２＞〜＜５＞の何れかに記載の衣料用粉末洗浄剤組成物。
【００７３】
＜７＞
（ａ）成分として、（ａ１）成分及び（ａ２）成分から選ばれる１種以上のアニオン界面活性剤と、（ａ３）成分から選ばれる１種以上のアニオン界面活性剤とを含有する、前記＜２＞〜＜６＞の何れかに記載の衣料用粉末洗浄剤組成物。
【００７４】
＜８＞
（ａ）成分が、（ａ１）成分及び（ａ２）成分から選ばれる１種以上のアニオン界面活性剤と、（ａ３）成分から選ばれる１種以上のアニオン界面活性剤とである、前記＜２＞〜＜７＞の何れかに記載の衣料用粉末洗浄剤組成物。
【００７５】
＜９＞
（ａ）成分として、（ａ１）成分から選ばれる１種以上のアニオン界面活性剤と、（ａ２）成分から選ばれる１種以上のアニオン界面活性剤とを含有する、前記＜２＞〜＜８＞の何れかに記載の衣料用粉末洗浄剤組成物。
【００７６】
＜１０＞
（ａ１）成分の含有量と、（ａ２）成分及び（ａ３）成分の含有量の合計との質量比（ａ１）／〔（ａ２）＋（ａ３）〕が、好ましくは０．１以上、より好ましくは０．２以上、そして、好ましくは１．５以下、より好ましくは１．２以下、更に好ましくは１以下である、前記＜２＞〜＜９＞の何れかに記載の衣料用粉末洗浄剤組成物。
【００７７】
＜１１＞
（ａ１）成分及び（ａ２）成分の含有量の合計と、（ａ３）成分の含有量の質量比〔（ａ１）＋（ａ２）〕／（ａ３）が、好ましくは０．０５以上、より好ましくは０．１以上、更に好ましくは０．２以上、そして、好ましくは１以下、より好ましくは０．９以下、更に好ましくは０．８以下、より更に好ましくは０．６以下である、前記＜２＞〜＜１０＞の何れかに記載の衣料用粉末洗浄剤組成物。
【００７８】
＜１２＞
（ｂ）成分が、カリウムミョウバン（硫酸カリウムアルミニウム）、アンモニウムミョウバン（硫酸アンモニウムアルミニウム）、ナトリウムミョウバン（硫酸ナトリウムアルミニウム）、硫酸アルミニウム、酢酸アルミニウム、塩化アルミニウム、及び硝酸アルミニウムから選ばれる１種以上の水溶性アルミニウム塩である、好ましくはカリウムミョウバン、アンモニウムミョウバン及びナトリウムミョウバン、及び硫酸アルミニウムから選ばれる１種以上の水溶性アルミニウム塩である、より好ましくはカリウムミョウバン、ナトリウムミョウバン、及びアンモニウムミョウバンから選ばれる１種以上の水溶性アルミニウム塩である、更に好ましくは硫酸カリウムアルミニウム１２水和物、硫酸ナトリウムアルミニウム１２水和物、硫酸アンモニウムアルミニウム１２水和物、及び硫酸アルミニウム１６水和物から選ばれる１種以上の水溶性アルミニウム塩である、より更に好ましくは硫酸カリウムアルミニウム１２水和物、硫酸アンモニウムアルミニウム１２水和物、及び硫酸アルミニウム１６水和物から選ばれる１種以上の水溶性アルミニウム塩である、前記＜１＞〜＜１０＞の何れかに記載の衣料用粉末洗浄剤組成物。
【００７９】
＜１３＞
（ｃ）成分が、硫酸ナトリウム、及び塩化ナトリウムから選ばれる１種以上の化合物である、好ましくは硫酸ナトリウムである、前記＜１＞〜＜１２＞の何れかに記載の衣料用粉末洗浄剤組成物。
【００８０】
＜１４＞
（ｄ１）成分が、炭酸ナトリウム、炭酸カリウム、炭酸リチウム、炭酸水素ナトリウム、炭酸水素カリウム、及びケイ酸ナトリウムから選ばれる１種以上の水溶性アルカリ塩である、好ましくは炭酸ナトリウム、炭酸カリウム、炭酸水素ナトリウム、及び炭酸水素カリウムから選ばれる１種以上の水溶性アルカリ塩である、より好ましくは炭酸ナトリウム、及び炭酸カリウムから選ばれる１種以上の水溶性アルカリ塩である、更に好ましくは炭酸ナトリウムである、前記＜１＞〜＜１３＞の何れかに記載の衣料用粉末洗浄剤組成物。
【００８１】
＜１５＞
（ｄ）成分を、好ましくは０．１質量％以上、より好ましくは０．３質量％以上、更に好ましくは０．５質量％以上、そして、好ましくは１２質量％以下、より好ましくは１０質量％以下、更に好ましくは９質量％以下、より更に好ましくは８質量％以下、より更に好ましくは７質量％以下、より更に好ましくは６質量％以下含有する、前記＜１＞〜＜１４＞の何れかに記載の衣料用粉末洗浄剤組成物。
【００８２】
＜１６＞
（ｅ１）成分が、ギ酸、酢酸、シュウ酸、プロピオン酸、マロン酸、マレイン酸、フマル酸、コハク酸、安息香酸、フタル酸、１，２，３−ベンゼントリカルボン酸、１，２，４，５−ベンゼンテトラカルボン酸（ピロメリット酸）、及びこれらの塩から選ばれる１種以上の化合物である、前記＜１＞〜＜１５＞の何れかに記載の衣料用粉末洗浄剤組成物。
【００８３】
＜１７＞
（ｅ２）成分が、グリコール酸、乳酸、クエン酸、リンゴ酸、酒石酸、サリチル酸、及びこれらの塩から選ばれる１種以上の化合物である、前記＜１＞〜＜１６＞の何れかに記載の衣料用粉末洗浄剤組成物。
【００８４】
＜１８＞
（ｅ）成分が、塩になっていないカルボキシル基を含む化合物である、前記＜１＞〜＜１７＞に記載の何れかに記載の衣料用粉末洗浄剤組成物。
【００８５】
＜１９＞
（ｅ）成分の塩が、ナトリウム塩、及びカリウム塩から選ばれる１種以上のアルカリ金属塩である、前記＜１＞〜＜１７＞の何れかに記載の衣料用粉末洗浄剤組成物。
【００８６】
＜２０＞
（ｅ）成分が、水和物、又は無水物である、前記＜１＞〜＜１９＞の何れかに記載の衣料用粉末洗浄剤組成物。
【００８７】
＜２１＞
（ｅ）成分と（ｂ）成分の質量比（ｅ）成分／（ｂ）成分が、好ましくは０．３以下、より好ましくは０．１以下である、または０である、前記＜１＞〜＜２０＞の何れかに記載の衣料用粉末洗浄剤組成物。
【００８８】
＜２２＞
衣料用粉末洗浄剤組成物１ｇを水２５０ｇに分散させた分散液の２０℃におけるｐＨが、好ましくは６．０以上、そして、好ましくは９．０以下、より好ましくは８．５以下、更に好ましくは８．０以下、より更に好ましくは７．５以下、より好ましくは７．０以下である、前記＜１＞〜＜２１＞の何れかに記載の衣料用粉末洗浄剤組成物。
【００８９】
＜２３＞
衣料用粉末洗浄剤組成物１ｇを、アルカリ度１００ｍｇ／Ｌ、ドイツ硬度１０゜ｄＨの２０℃の水２５０ｇに分散させた分散液の２０℃におけるｐＨ、又は、衣料用粉末洗浄剤組成物１ｇを、アルカリ度１００ｍｇ／Ｌ、ドイツ硬度１０゜ｄＨ、ｐＨ７．５の２０℃の水２５０ｇに分散させた分散液の２０℃におけるｐＨが、５．５以上、好ましくは６．０以上、そして、９．５以下、好ましくは９．０以下、より好ましくは８．０以下、更に好ましくは７．５以下である、前記＜１＞〜＜２２＞の何れかに記載の衣料用粉末洗浄剤組成物。
【００９０】
＜２４＞
手洗い洗濯用である、前記＜１＞〜＜２３＞の何れかに記載の衣料用粉末洗浄剤組成物。
【００９１】
＜２５＞
手洗いでの洗濯において、水１Ｌに対して、好ましくは１ｇ以上、より好ましくは２ｇ以上、更に好ましくは３．０ｇ以上、そして、好ましくは３０ｇ以下、より好ましくは２０ｇ以下、更に好ましくは１０ｇ以下の濃度で用いられる、前記＜１＞〜＜２４＞の何れかに記載の衣料用粉末洗浄剤組成物。
【００９２】
＜２６＞
洗濯機での洗濯において、水１Ｌに対して、好ましくは０．６ｇ以上、より好ましくは１ｇ以上、更に好ましくは１．５ｇ以上、そして、好ましくは１０ｇ以下、より好ましくは７ｇ以下、更に好ましくは３ｇ以下の濃度で用いられる、前記＜１＞〜＜２５＞の何れかに記載の衣料用粉末洗浄剤組成物。
【００９３】
＜２７＞
（ａ）成分を、１０質量％以上、好ましくは１２質量％以上、より好ましくは１４質量％以上、更に好ましくは１５質量％以上、そして、４０質量％以下、好ましくは３０質量％以下、より好ましくは２８質量％以下、更に好ましくは２５質量％以下含有する、前記＜１＞〜＜２６＞の何れかに記載の衣料用粉末洗浄剤組成物。
【００９４】
＜２８＞
（ｂ）成分を、無水物換算で、０．３質量％以上、好ましくは０．４質量％以上、より好ましくは０．５質量％以上、更に好ましくは０．８質量％以上、より更に好ましくは１質量％以上、そして、６質量％以下、好ましくは４質量％以下含有する、前記＜１＞〜＜２７＞の何れかに記載の衣料用粉末洗浄剤組成物。
【００９５】
＜２９＞
（ｃ）成分を、１０質量％以上、好ましくは１５質量％以上、より好ましくは２０質量％以上、更に好ましくは２５質量％以上、更により好ましくは３０質量％以上、更により好ましくは３５質量％以上、更により好ましくは４０質量％以上、更により好ましくは４５質量％以上、そして、８０質量％以下、好ましくは７０質量％以下、より好ましくは６６質量％以下含有する、前記＜１＞〜＜２８＞の何れかに記載の衣料用粉末洗浄剤組成物。
【００９６】
＜３０＞
前記＜１＞〜＜２９＞の何れかに記載の衣料用粉末洗浄剤組成物と水とを混合して得た洗浄液を用いて、衣料を洗浄する、衣料の洗浄方法。
【００９７】
＜３１＞
前記＜１＞〜＜２９＞の何れかに記載の衣料用粉末洗浄剤組成物と水とを混合して得た洗浄液を用いて、食品由来の油汚れが付着した衣料を洗浄する、衣料の洗浄方法。
【００９８】
＜３２＞
食品由来の油汚れが、色素を含む汚れである、更にラー油である、前記＜３１＞に記載の衣料の洗浄方法。
【００９９】
＜３３＞
洗浄後の衣料を水ですすぐ工程を有する、前記＜３０＞〜＜３２＞の何れかに記載の衣料の洗浄方法。
【０１００】
＜３４＞
前記衣料用粉末洗浄剤組成物と混合する水のアルカリ度が０ｍｇ／Ｌ以上２００ｍｇ／Ｌ以下である、前記＜３０＞〜＜３３＞の何れかに記載の衣料の洗浄方法。
【０１０１】
＜３５＞
前記衣料用粉末洗浄剤組成物と混合する水のドイツ硬度が１゜ｄＨ以上５０゜ｄＨ以下である、前記＜３０＞〜＜３４＞の何れかに記載の衣料の洗浄方法。
【０１０２】
＜３６＞
前記衣料用粉末洗浄剤組成物と混合する水が、アルカリ度０ｍｇ／Ｌ以上２００ｍｇ／Ｌ以下、ドイツ硬度１゜ｄＨ以上５０゜ｄＨ以下の水である、前記＜３０＞〜＜３５＞の何れかに記載の衣料の洗浄方法。
【０１０３】
＜３７＞
衣料を手洗い洗浄する、前記＜３０＞〜＜３６＞の何れか（ただし、前記＜２６＞を引用するものを除く）に記載の衣料の洗浄方法。
【０１０４】
＜３８＞
洗浄液のｐＨが、好ましくは５．５以上、より好ましくは６．０以上、そして、好ましくは９．５以下、より好ましくは９．０以下、更に好ましくは８．５以下、より更に好ましくは８以下、より更に好ましくは７．５以下である、前記＜３０＞〜＜３７＞の何れかに記載の衣料の洗浄方法。
【実施例】
【０１０５】
下記の配合成分を、表１、２に示す衣料用粉末洗浄剤組成物になるように混練して調製した。具体的には（ａ）成分はあらかじめ凍結乾燥したものを乳鉢で粉末化した。（ｂ）成分、（ｃ）成分、（ｄ）成分、及び（ｅ）成分も同様に乳鉢を用いて粉末化した。これら粉末化した（ａ）〜（ｅ）成分を均一になるまで混練し、それ以外の成分を加えてさらに十分に撹拌し、均一な粉末を得た。評価は下記の方法で行った。結果を表１、２に示す。
【０１０６】
また、以下の評価において用いる水は、特に断りがない限り以下の硬度成分を配合した水を使用した。
洗浄及びすすぎに用いる水は、次のように調製した。塩化カルシウム・２水和物７８．５０ｇ及び塩化マグネシウム・６水和物７３．５８ｇを１Ｌのイオン交換水で溶解させた濃厚原液を調製した。この濃厚原液は、カルシウム／マグネシウム＝６／４（モル比）であった。得られた濃厚原液を、アルカリ度１００ｍｇ／Ｌ（ＣａＣＯ３換算）、ｐＨ７．５の希釈用水で希釈し、１０゜ｄＨに調整して洗浄及びすすぎに用いる水とした。前記希釈用水は、イオン交換水に炭酸水素ナトリウムを添加してアルカリ度を調整し、塩酸を添加してｐＨを調整して得た。
【０１０７】
［１］ｐＨの測定法
ｐＨメーター（ＨＯＲＩＢＡ製  ｐＨメーター  Ｄ−５１）にｐＨ測定用電極（ＨＯＲＩＢＡ製  型式６３６７）を接続した。ｐＨ電極内部液としては、飽和塩化カリウム水溶液（３．３３モル／Ｌ）を使用した。
【０１０８】
次に、ｐＨ４．０１標準液（フタル酸塩標準液）、ｐＨ６．８６（中性リン酸塩標準液）、ｐＨ９．１８標準液（ホウ酸塩標準液）をそれぞれ５０ｍＬビーカーに入れ、２５℃の恒温槽に３０分間浸漬した。恒温に調整された標準液にｐＨ測定用電極を３分間浸し、ｐＨ６．８６→ｐＨ９．１８→ｐＨ４．０１の順に校正操作を行った。
【０１０９】
ドイツ硬度１０゜ｄＨ、アルカリ度１００ｍｇ／Ｌ（ＣａＣＯ３換算）、ｐＨ７．５の水１００ｍＬを１００ｍＬのパイレックス（登録商標）製ビーカーに充填し、２５℃の恒温槽内にて温度が一定になるまで調温した。この水に表１、２の衣料用粉末洗浄剤組成物０．４ｇを加え（２５０倍希釈）、長さ２．５ｃｍの棒状の撹拌子を用い、マグネティックスターラーで８００ｒｐｍにて撹拌しｐＨ測定用電極を３分間浸し、ｐＨを測定した。結果を、水希釈物のｐＨとして表に示した。水希釈物のｐＨは、衣料用粉末洗浄剤組成物１ｇを水２５０ｇに分散させた分散液の２０℃におけるｐＨに相当する。
【０１１０】
［２］溶解性評価
表１、２の粉末洗浄剤組成物２ｇを、ドイツ硬度１０゜ｄＨ、アルカリ度１００ｍｇ／Ｌ（ＣａＣＯ３換算）、ｐＨ７．５、２５℃の水１Ｌを用いて、容量２Ｌのビーカー中で１分間混合した。長さ５ｃｍの棒状の撹拌子をマグネティックスターラーで８００ｒｐｍにて撹拌し溶解させた。その後、目開きが０.７４ｍｍの金属メッシュを用いて上記の水溶液の全量をろ過した後、１０５℃で２時間乾燥し、金属メッシュ上に残った残留物量の重量（ｇ）を測定した。下記式によって溶解率を算出して粉末洗浄剤組成物の溶解性を評価した。溶解率は９０％以上が合格であり、数値が高い方がより好ましい。
溶解率（％）＝［〔溶解前の粉末洗浄剤組成物の量（２ｇ）−溶解後の残留物の量（ｇ）〕／（溶解前の粉末洗浄剤組成物の量（２ｇ））］×１００
溶解率（％）の数値が高い方が好ましい。この評価では、溶解率（％）が９０％以上を合格とする。
【０１１１】
［３］洗浄力の評価方法
ドイツ硬度１０゜ｄＨ、アルカリ度１００ｍｇ／Ｌ（ＣａＣＯ３換算）、ｐＨ７．５、２５℃の水２Ｌに対して、表１、２に示す粉末洗浄剤組成物８ｇを５．５Ｌのポリプロピレン製の桶の中で希釈溶解した。その後、下記の通り調製したラー油汚染布５枚を縫い付けた肌着１枚、並びに浴比調整用の同じサイズの肌着２枚を入れ、全体をかき混ぜた。浴比は８であった。肌着はグンゼＹＧ（丸首Ｔシャツ、Ｍサイズ、綿１００％）を使用した。その後、汚染布を均等に５分間手でこすり洗浄を行った。組成物の希釈に用いた水と同様の水３Ｌで、２回すすいだ後、手で絞って脱水し、室内で乾燥させた。下記の式により洗浄率を測定した。
洗浄率（％）＝［（洗浄後の反射率−洗浄前の反射率）／（白布の反射率−洗浄前の反射率）］×１００
白布は、ラー油汚染布の調製に用いた綿メリヤス布（綿ニット未シル、綿１００％、谷頭商店）の未汚染状態の布である。
反射率は日本電色工業（株）製ＮＤＲ−１０ＤＰで４６０ｎｍフィルターを使用して測定した。洗浄率は７０％以上が合格であり、数値が高い程より好ましい。
【０１１２】
＜ラー油汚染布の調製＞
市販のＳ＆Ｂラー油（エスビー食品（株）製、２０１４年９月購入）０．１ｍＬを６ｃｍ×６ｃｍの綿メリヤス布（綿ニット未シル、綿１００％、谷頭商店）上に均一に塗布し、温度２５℃、湿度６５ＲＨ％、１５時間乾燥させた。これを試験に供した。
【０１１３】
［４］手洗い作業の快適さの評価
上記［３］の「洗浄力の評価方法」での洗濯中及び洗濯後の手の感触により、手洗い作業の快適さを評価した。
具体的には、上記［３］の「洗浄力の評価方法」における、
（Ｉ）こすり洗浄中の手の感触、
（II）こすり洗浄、すすぎ及び脱水終了後、タオルによって手を拭いた直後の手の感触、及び
（III）前記タオルによって手を拭いた後２分後の手の感触、
の３つの時期を対象として手の感触を評価した。１０人のパネラーが、それぞれ、以下の基準で判定を行った。
上記（Ｉ）判定基準は、手にぬるつく場合を「とても不快」又は「やや不快」、水の感触に近いとものを「とても快適」又は「やや快適」とした。また、上記（II）及び上記（III）の判定基準は、洗浄剤組成物成分の残留感がある場合を「とても不快」又は「やや不快」、洗浄剤組成物成分の残留感が全くない場合を「とても快適」又は「やや快適」とした。
１人のパネラーから３つの時期の結果を回収し、その平均値を求めた。その平均値を１０人分回収し、更に平均値を求め、これを表に示した。平均値が２．５以下を合格とした。平均値が小さい程、より好ましい感触である。
５：とても不快
４：やや不快
３：どちらでもない
２：やや快適
１：とても快適
【０１１４】
［５］配合成分
（ａ）成分
・ＡＳ−Ｎａ：ラウリル硫酸エステルナトリウム、エマール０（花王（株）製）
・ＡＥＳ−Ｎａ（１）：炭素数１０〜１６の直鎖１級アルキル基を有するポリオキシエチレン（平均付加モル数２）アルキルエーテル硫酸エステルナトリウム、エマール２７０Ｓ（花王（株）製）
・ＡＥＳ−Ｎａ（２）：炭素数１２の直鎖１級アルキル基を有するポリオキシエチレン（平均付加モル数３）アルキルエーテル硫酸エステルナトリウム、エマール２０Ｃ（花王（株）製）
・ＬＡＳ−Ｎａ：ラウリルベンゼンスルホン酸ナトリウム、ネオペレックスＧ−１５（花王（株）製）
【０１１５】
（ｂ）成分
・カリウムミョウバン：硫酸アルミニウムカリウム１２水和物（和光純薬工業（株）製）
・ナトリウムミョウバン：硫酸アルミニウムナトリウム１２水和物（和光純薬工業（株）製）
・アンモニウムミョウバン：硫酸アルミニウムアンモニウム１２水和物（和光純薬工業（株）製）
・硫酸アルミニウム：硫酸アルミニウム（無水）（和光純薬工業（株）製）
【０１１６】
（ｃ）成分
・硫酸ナトリウム：和光純薬工業（株）製
・塩化ナトリウム：和光純薬工業（株）製
【０１１７】
（ｄ）成分
・炭酸ナトリウム：和光純薬工業（株）製
・ケイ酸ソーダ：２号ケイ酸ナトリウム  富士化学（株）製
・ゼオライト：ゼオビルダー、ゼオビルダー（株）製、メジアン径：３．０μｍ
【０１１８】
（ｅ）成分
・酢酸ナトリウム：和光純薬工業（株）製
・クエン酸無水物：和光純薬工業（株）製
・クエン酸３ナトリウム：和光純薬工業（株）製
【０１１９】
その他の成分
・アルカリプロテアーゼ：ＫＡＰ、花王（株）製、タンパク質含有量が１００ｍｇ／酵素造粒物１ｇの造粒物
・活性白土：ガレオンアース  ＮＶ、水澤化学工業（株）製
・硫酸マグネシウム：硫酸マグネシウム７水和物  和光純薬工業（株）製
・ポリアクリル酸ナトリウム（重量平均分子量８０００）
・香料
【０１２０】
【表１】
0006339131.tif 000002
【０１２１】
【表２】
0006339131.tif 000003
【０１２２】
表中、（ｂ）成分の含有量は無水物換算の含有量である。